(57)【特許請求の範囲】
【請求項１】
接地体を植付機構に対して高さ変更可能に装備し、前記接地体の高さ位置を変更する操作手段を設けて、前記植付機構に対する前記接地体の高さ位置を変更することによる植え付け深さ調節が可能に構成され、
前記接地体及び前記植付機構を備える苗植付装置を走行車体に昇降可能に連結し、前記接地体を上下揺動可能に装備し、前記苗植付装置を昇降駆動するアクチュエータと、前記接地体の上下揺動角度を検出する揺動角度検出手段と、前記揺動角度検出手段の検出角度が予め設定した制御目標角度と一致するように前記アクチュエータの作動を制御する制御手段とを備えて、前記苗植付装置を予め設定した接地高さ位置に維持する自動昇降制御の実行が可能に構成された植え付け作業機の昇降制御構造であって、
前記植え付け深さ調節に連動して、前記揺動角度検出手段の検出角度及び前記制御目標角度のいずれか一方を補正する補正手段を備えてあり、
車速検出手段を備え、
前記補正手段が、前記車速検出手段の検出速度に基づいて、前記揺動角度検出手段の検出角度及び前記制御目標角度のいずれか他方を補正するように構成してある植え付け作業機の昇降制御構造。
【請求項２】
植え付け深さを検出する植付深さ検出手段を備え、
前記補正手段が、前記植付深さ検出手段の検出に基づいて、前記植え付け深さ調節に連動した前記揺動角度検出手段の検出角度又は前記制御目標角度の補正を行うように構成してある請求項１に記載の植え付け作業機の昇降制御構造。
【発明の詳細な説明】
【技術分野】
【０００１】
本発明は、接地体を植付機構に対して高さ変更可能に装備し、前記接地体の高さ位置を変更する操作手段を設けて、前記植付機構に対する前記接地体の高さ位置を変更することによる植え付け深さ調節が可能に構成され、前記接地体及び前記植付機構を備える苗植付装置を走行車体に昇降可能に連結し、前記接地体を上下揺動可能に装備し、前記苗植付装置を昇降駆動するアクチュエータと、前記接地体の上下揺動角度を検出する揺動角度検出手段と、前記揺動角度検出手段の検出角度が予め設定した制御目標角度と一致するように前記アクチュエータの作動を制御する制御手段とを備えて、前記苗植付装置を予め設定した接地高さ位置に維持する自動昇降制御の実行が可能に構成された植え付け作業機の昇降制御構造に関する。
【背景技術】
【０００２】
上記のような植え付け作業機の昇降制御構造においては、接地体（整地フロート）の上下揺動角度の検出を可能にするために、接地体に連係リンク機構を介して連係された揺動角度検出手段（フロートセンサ）を、平行四連リンク機構を構成する上下一対の揺動リンクを介して苗植付装置の前下部に連結装備し、かつ、植付機構に対する接地体の高さ変更操作を可能にする植付深さ調節レバーを、その操作に連動して、揺動角度検出手段の高さ位置が接地体の高さ位置に応じた高さ位置に変更されるように、連係ロッドを介して上側の揺動リンクに連動連係することで、植え付け深さ調節にかかわらず、揺動角度検出手段の接地体に対する高さ位置及び検出姿勢を一定又は略一定に維持できるようにして、接地体の上下揺動角度と揺動角度検出手段の検出角度との相関関係を一定又は略一定に保持するように構成したものがある（例えば特許文献１参照）。
【０００３】
【特許文献１】特開２０００−３３３５１７号公報（段落番号００３５，００３９、図３〜７）
【発明の開示】
【発明が解決しようとする課題】
【０００４】
つまり、上記の構成では、接地体の高さ変更操作に連動して、揺動角度検出手段の高さ位置が接地体の高さ位置に応じた高さ位置に変更され、かつ、その高さ変更操作にかかわらず、揺動角度検出手段の検出姿勢が一定に維持されるように、揺動角度検出手段の支持構造に創意工夫を凝らすことで、植え付け深さ調節にかかわらず、接地体の上下揺動角度と揺動角度検出手段の検出角度との相関関係を一定又は略一定に保持することができ、これによって、植え付け深さ調節によって接地体の上下揺動角度と揺動角度検出手段の検出角度との相関関係が崩れることに起因して、自動昇降制御において、苗植付装置が予め設定した接地高さ位置に維持されなくなる不都合が発生することを未然に回避している。
【０００５】
そのため、上記の構成では、揺動角度検出手段の支持構造が複雑化するとともに大型化し、又、その支持構造を装備するための大きい空間を確保する必要が生じることから、部品レイアウトに苦慮するとともに、コストの高騰並びに組み付け性やメンテナンス性の低下を招くことになる。
【０００６】
本発明の目的は、部品レイアウトに苦慮することなく、又、コストの高騰並びに組み付け性やメンテナンス性の低下を招くことなく、植え付け深さ調節にかかわらず、自動昇降制御において、苗植付装置を予め設定した接地高さ位置に精度良く維持できるようにすることにある。
【課題を解決するための手段】
【０００７】
本発明のうちの請求項１に記載の発明では、接地体を植付機構に対して高さ変更可能に装備し、前記接地体の高さ位置を変更する操作手段を設けて、前記植付機構に対する前記接地体の高さ位置を変更することによる植え付け深さ調節が可能に構成され、前記接地体及び前記植付機構を備える苗植付装置を走行車体に昇降可能に連結し、前記接地体を上下揺動可能に装備し、前記苗植付装置を昇降駆動するアクチュエータと、前記接地体の上下揺動角度を検出する揺動角度検出手段と、前記揺動角度検出手段の検出角度が予め設定した制御目標角度と一致するように前記アクチュエータの作動を制御する制御手段とを備えて、前記苗植付装置を予め設定した接地高さ位置に維持する自動昇降制御の実行が可能に構成された植え付け作業機の昇降制御構造において、前記植え付け深さ調節に連動して、前記揺動角度検出手段の検出角度及び前記制御目標角度のいずれか一方を補正する補正手段を備えてあり、車速検出手段を備え、前記補正手段が、前記車速検出手段の検出速度に基づいて、前記揺動角度検出手段の検出角度及び前記制御目標角度のいずれか他方を補正するように構成してある。
【０００８】
この構成によると、操作手段を用いて植え付け深さ調節を行うと、その植え付け深さ調節によって植付機構に対する接地体の高さ位置が変更されるのに伴って、揺動角度検出手段に対する接地体の高さ位置や、揺動角度検出手段の検出姿勢が変化することになって、接地体の上下揺動角度と揺動角度検出手段の検出角度との相関関係、並びに、揺動角度検出手段の検出角度と制御目標角度との相関関係に崩れが生じるが、このときの植え付け深さ調節に連動して、補正手段が、揺動角度検出手段の検出角度及び制御目標角度のいずれか一方を適切に補正して相関関係を整合させることから、植え付け深さ調節による相関関係の崩れに起因して、自動昇降制御において、苗植付装置が予め設定した接地高さ位置に維持されなくなる不都合の発生を防止できる。
【０００９】
又、その不都合の発生を防止する上において、揺動角度検出手段の支持構造に創意工夫を凝らす必要がないことから、揺動角度検出手段に対する支持構造の複雑化や大型化を回避できるとともに、その支持構造を装備するための大きい空間を確保する必要もない。
【００１０】
従って、部品レイアウトに苦慮することなく、又、コストの高騰並びに組み付け性やメンテナンス性の低下を招くことなく、自動昇降制御においては、植え付け深さ調節にかかわらず、苗植付装置を、より高い精度で予め設定した接地高さ位置に維持できるようになり、結果、苗植付装置による植え付けを、植え付け深さ調節による調節後の植え付け深さでより精度良く行える。
又、植え付け作業機においては、作業時の車速が速くなるほど接地体が浮き易くなることから、車速にかかわらず揺動角度検出手段の検出角度と制御目標角度との相関関係を一定に保持すると、作業時の車速が速くなるほど、圃場での柔らかい泥土の僅かな隆起などに対しても接地体が敏感に上昇揺動する傾向になり、よって、接地体の揺動に基づく自動昇降制御において、苗植付装置が不必要に昇降するハンチングや、苗植付装置が浮き気味になることに起因した浅植えが生じ易くなる。
そこで、補正手段が、車速検出手段の検出速度に基づいて、揺動角度検出手段の検出角度及び制御目標角度のいずれか他方を補正する、具体的には、車速検出手段で検出される車速が速くなるほど、それに伴って接地体が浮き易くなることを考慮して、揺動角度検出手段の検出角度を前下がり方向に補正する、又は、制御目標角度を前上がり方向に補正するように構成するのであり、これによって、車速の上昇に伴って圃場での柔らかい泥土の僅かな隆起などに対しても接地体が敏感に上昇揺動する虞がなくなり、結果、接地体の揺動に基づく自動昇降制御において、苗植付装置が不必要に昇降するハンチングや、苗植付装置が浮き気味になることに起因した浅植えの発生を回避できる。
従って、自動昇降制御における車速の上昇に起因したハンチングや浅植えの発生が回避された良好な植え付けを安定して行える。
【００１１】
本発明のうちの請求項２に記載の発明では、上記請求項１に記載の発明において、植え付け深さを検出する植付深さ検出手段を備え、前記補正手段が、前記植付深さ検出手段の検出に基づいて、前記植え付け深さ調節に連動した前記揺動角度検出手段の検出角度又は前記制御目標角度の補正を行うように構成してある。
【００１２】
この構成によると、操作手段を用いた植え付け深さ調節を行うと、その植え付け深さ調節で得られた植え付け深さを植付深さ検出手段が検出し、その検出に基づいて、補正手段が、揺動角度検出手段の検出角度又は制御目標角度を適切に補正して、植え付け深さ調節によって崩れた相関関係を整合させることから、植え付け深さ調節による相関関係の崩れに起因して、自動昇降制御において、苗植付装置が予め設定した接地高さ位置に維持されなくなる不都合が発生することを防止する。
【００１３】
従って、部品レイアウトに苦慮することなく、又、コストの高騰並びに組み付け性やメンテナンス性の低下を招くことなく、自動昇降制御においては、植え付け深さ調節にかかわらず、苗植付装置を、より高い精度で予め設定した接地高さ位置に維持できるようになり、結果、苗植付装置による植え付けを、植え付け深さ調節による調節後の植え付け深さでより精度良く行える。
【発明を実施するための最良の形態】
【００１８】
図１には植え付け作業機の一例である乗用田植機の全体側面が示されており、この田植機は、乗用型に形成した走行車体１の後部に、油圧式のリフトシリンダ（アクチュエータの一例）２の作動で昇降揺動するリンク機構３を介して苗植付装置４を駆動昇降可能に連結し、かつ、施肥装置５を搭載装備して構成されている。
【００１９】
走行車体１は、その前部に搭載したエンジン６からの動力を、静油圧式無段変速装置７やギヤ式変速装置８などを介して、左右の前輪９及び後輪１０に走行用として伝達する四輪駆動型に構成され、その中央部には、左右の前輪９を操舵するステアリングホイール１１や運転座席１２などを備える搭乗運転部１３が形成されている。
【００２０】
図１〜５に示すように、苗植付装置４は、動力分配機構１４に伝達されたギヤ式変速装置８からの作業用動力で、複数のマット状苗を載置する苗載台１５が左右方向に一定ストロークで往復駆動されるとともに、左右方向に並設された複数のロータリ式の植付機構１６が、苗載台１５の下端から苗を所定量ずつ切り出して、複数の整地フロート（接地体の一例）１７で整地した泥土部に植え付けるように回転駆動され、かつ、苗載台１５が左右のストローク端に到達するごとに各マット状苗が苗載台１５の下端に向けて所定ピッチで縦送りされることで、複数条の苗の植え付けを行うように構成されている。
【００２１】
図１に示すように、施肥装置５は、ギヤ式変速装置８から出力された後輪駆動用の動力で、左右方向に並設された複数の繰出機構１８が、施肥タンク１９に貯留された粒状肥料を所定量ずつ繰り出すように駆動され、電動式のブロワ２０で生起された搬送風で、各繰出機構１８から繰り出された粒状肥料を、それぞれ案内ホース２１を介して対応する作溝器２２に向けて搬送し、それらの各作溝器２２から圃場泥土内に供給することで、植え付け条数に応じた施肥を行うように構成されている。
【００２２】
図１、図６及び図７に示すように、静油圧式無段変速装置７は、ステアリングホイール１１の左側方に配備した主変速レバー２３に主変速用の連係機構２４を介して操作連係され、主変速レバー２３は、ガイド板２５のガイド溝２６によって操作案内されるとともに、デテント機構２７の作用で、静油圧式無段変速装置７を中立状態に復帰付勢する中立復帰機構２８の作用に抗して、中立位置を挟んだ前進５段と後進３段の各変速操作位置に操作保持できる。
【００２３】
つまり、主変速レバー２３の操作で、静油圧式無段変速装置７の中立状態や前進５段及び後進３段の各変速状態を現出保持できる。
【００２４】
図示は省略するが、主変速用の連係機構２４は、搭乗運転部１３に配備したブレーキペダルに、そのブレーキペダルの踏み込み操作に連動して、そのときの踏み込み操作量に基づいて、主変速レバー２３を現在の変速位置から中立位置に向けて強制的に戻し操作するように、図外の自動減速用の連係機構を介して操作連係されている。
【００２５】
この構成から、前進走行時や後進走行時にブレーキペダルを予め設定した踏み込み限界領域まで大きく踏み込み操作すると、その操作に連動して、主変速レバー２３を中立位置まで戻すことができて、静油圧式無段変速装置７の中立状態を現出することができる。
【００２６】
又、ブレーキペダルを踏み込み限界領域に至らない程度に踏み込み操作すると、そのときの踏み込み操作量に応じた変速操作位置まで主変速レバー２３を戻すことができて、静油圧式無段変速装置７を減速作動させることができる。
【００２７】
図６〜９に示すように、主変速レバー２３は、左右向きの操作領域を有するように形成した中立位置に位置させた状態では、捩りバネ３０の作用によって、後進用変速領域に連通する左右一端側の後進側端部から、前進用変速領域に連通する左右他端側の前進側端部に向けて揺動付勢されている。
【００２８】
又、そのガイド溝２６に沿った揺動操作による静油圧式無段変速装置７の変速操作に連動してエンジン回転数が変更されるように、エンジン６に備えた調速機構３１の調速レバー３２に、連動調速用の連係機構３３を介して操作連係されている。
【００２９】
調速レバー３２は、引っ張りバネ３４の作用で低速側に揺動付勢されており、主変速レバー２３を中立位置の前進側端部に位置させた状態ではアイドリング位置まで揺動復帰する。
【００３０】
連動調速用の連係機構３３は、主変速レバー２３の前進用変速領域での変速操作に連動して揺動変位するようにガイド板２５に装備された前進用連動部材３５、主変速レバー２３の中立位置での揺動操作と後進用変速領域での変速操作とに連動して揺動変位するようにガイド板２５に装備された後進用連動部材３６、前進用連動部材３５を調速レバー３２に操作連係するレリーズワイヤ３７、及び、前進用連動部材３５を減速方向に揺動付勢する引っ張りバネ３８、などを備えて、主変速レバー２３の変速操作位置とエンジン回転数との間において、予め設定した相関関係（図８参照）が得られるように構成されている。
【００３１】
後進用連動部材３６は、その増速方向への揺動変位に伴って前進用連動部材３５を増速方向に揺動変位させるように、その一端部が前進用連動部材３５の一端部に片当たり接当し、又、主変速レバー２３を前進側中立位置に位置させた状態では、その他端部がバックアップスイッチ３９を押圧操作し、主変速レバー２３を後進側中立位置に位置させた状態では、その他端部によるバックアップスイッチ３９の押圧操作を解除する。
【００３２】
バックアップスイッチ３９は、そのオン・オフ信号を走行車体１に搭載したマイクロコンピュータからなる制御装置（制御手段の一例）４０に出力し、制御装置４０は、バックアップスイッチ３９からのオフ信号に基づいて、苗植付装置４が作動停止するように、植付クラッチ４１を入り切り操作する電動式のクラッチモータ４２の作動を制御し、かつ、走行車体１の後部に備えた上限スイッチ４３がリンク機構３によってオン操作される上限位置まで苗植付装置４が上昇するように、リフトシリンダ２に対する作動油の流動を制御する電磁式の昇降弁４４の作動を制御するバックアップ制御を実行する。
【００３３】
上記の構成から、主変速レバー２３を、中立位置の前進側端部から前進用変速領域に、あるいは、前進用変速領域において増速方向に揺動操作すると、その変速操作位置に応じた変速状態が現出されるように静油圧式無段変速装置７が前進増速作動し、かつ、調速レバー３２が、引っ張りバネ３４の付勢に抗して増速方向に揺動操作されて、主変速レバー２３の変速操作位置に応じた回転数までエンジン回転数が上昇する。
【００３４】
主変速レバー２３を、前進用変速領域から中立位置の前進側端部に、あるいは、前進用変速領域において減速方向に揺動操作すると、その変速操作位置に応じた変速状態が現出されるように静油圧式無段変速装置７が前進減速作動し、かつ、調速レバー３２が、引っ張りバネ３４の付勢で減速方向に揺動操作されて、主変速レバー２３の変速操作位置に応じた回転数までエンジン回転数が低下する。
【００３５】
主変速レバー２３を、中立位置の前進側端部から後進側端部に向けて揺動操作すると、調速レバー３２が、引っ張りバネ３４の付勢に抗して増速方向に揺動操作されて、主変速レバー２３の変速操作位置に応じた回転数までエンジン回転数が上昇し、その操作で主変速レバー２３が中立位置の後進側端部に到達すると、バックアップスイッチ３９からのオフ信号に基づいて、制御装置４０がバックアップ制御を実行することで、苗植付装置４が作動を停止するとともに上限位置まで上昇する。
【００３６】
主変速レバー２３を、中立位置の後進側端部から後進用変速領域に、あるいは、後進用変速領域において増速方向に揺動操作すると、その変速操作位置に応じた変速状態が現出されるように静油圧式無段変速装置７が後進増速作動し、かつ、調速レバー３２が、引っ張りバネ３４の付勢に抗して増速方向に揺動操作されて、主変速レバー２３の変速操作位置に応じた回転数までエンジン回転数が上昇する。
【００３７】
主変速レバー２３を、後進用変速領域から中立位置の後進側端部に、あるいは、後進用変速領域において減速方向に揺動操作すると、その変速操作位置に応じた変速状態が現出されるように静油圧式無段変速装置７が後進減速作動し、かつ、調速レバー３２が、引っ張りバネ３４の付勢で減速方向に揺動操作されて、主変速レバー２３の変速操作位置に応じた回転数までエンジン回転数が低下する。
【００３８】
ところで、前述したバックアップ制御は、整地フロート１７を接地させた状態において、不用意に後進状態を現出することに起因して、整地フロート１７が泥土に引っ掛かる、あるいは、畦などに衝突するなどの不都合が発生する虞を未然に回避するために備えたものであることから、後進検知に基づいて苗植付装置４を速やかに上昇させる必要がある。
【００３９】
そこで、本実施形態で例示した田植機では、後進状態が現出される前の段階から、エンジン動力で駆動される油圧ポンプ４５から昇降弁４４に向けて圧送される油量が多くなって、リフトシリンダ２の作動による苗植付装置４の速やかな上昇操作が可能となるように、主変速レバー２３が中立位置の前進側端部から後進側端部に向けて揺動操作される段階から、主変速レバー２３の揺動操作に連動してエンジン回転数が上昇するように構成してある。
【００４０】
図７に示すように、調速機構３１は、その独立操作が可能となるように、その調速レバー３２が、搭乗運転部１３に配備したアクセルペダル４６に、独立調速用の連係機構４７を介して操作連係されている。
【００４１】
図２〜５に示すように、苗植付装置４において、その前下部には、角パイプ状に形成された主フレーム４８が左右向きに装備され、その主フレーム４８から後方に向けて、動力分配機構１４からの動力を対応する植付機構１６に伝達するチェーン伝動式又は軸伝動式などの伝動機構（図示せず）を内装したフレーム兼用の複数の植付伝動ケース４９が、左右方向に所定間隔を隔てた状態で延設され、各植付伝動ケース４９は、その前下部に、丸パイプからなる単一のフロート支点軸５０を左右向きの姿勢で相対回動可能に支持装備し、かつ、その後端部に、対応する左右一対の植付機構１６を植え付け作動可能に装備し、フロート支点軸５０から前方に向けて単一の操作レバー（操作手段の一例）５１が延設され、フロート支点軸５０から後方に向けて複数の支持アーム５２が延設され、各支持アーム５２の延出端に、対応する整地フロート１７が左右向きの支軸２９を介して上下揺動可能に連結装備され、主フレーム４８には、フロート支点軸５０を支点にして上下方向に揺動操作される操作レバー５１の任意の操作位置での係合保持を可能にする保持ブラケット５３が立設されている。
【００４２】
この構成から、操作レバー５１を上下方向に揺動操作すると、各整地フロート１７が一斉にフロート支点軸５０を支点にして上下方向に揺動変位して、各植付機構１６に対する高さ位置を変更するようになっており、これによって、各植付機構１６による苗の植え付け深さを調節することができる。そして、所望の植え付け深さが得られる操作位置で操作レバー５１を係合保持させることで、所望の植え付け深さでの植え付けを行える。
【００４３】
図１、図４、図５及び図９に示すように、苗植付装置４の左右中央に配置された整地フロート１７は、その前端部が、主フレーム４８に固定装備した回転式のポテンショメータからなるフロートセンサ（揺動角度検出手段の一例）５４の検出アーム５５に、その左右向きの支軸２９を支点にした上下揺動角度θａがフロートセンサ５４によって検出されるように、連係ロッド５６などを介して連係され、又、フロートセンサ５４に備えた捩りバネ５７によって、連係ロッド５６などを介して接地付勢されている。フロートセンサ５４は、その検出角度θｂを制御装置４０に出力する。
【００４４】
制御装置４０は、運転座席１２の右側方に配備した第１作業レバー５８の操作位置を検出する回転式のポテンショメータからなる第１レバーセンサ５９の検出に基づいて、第１作業レバー５８の操作位置に応じた制御作動を実行する。
【００４５】
以下、第１レバーセンサ５９の検出に基づく制御装置４０の制御作動について説明する。
【００４６】
制御装置４０は、第１レバーセンサ５９の検出に基づいて、第１作業レバー５８の「下降」位置への操作を検知した場合には、リフトシリンダ２が伸長作動するように、昇降弁４４を、リフトシリンダ２から作動油を排出させる排出状態に切り換えて、苗植付装置４を下限位置に向けて下降させる下降制御を行う。
【００４７】
第１作業レバー５８の「上昇」位置への操作を検知した場合には、リフトシリンダ２が収縮作動するように、昇降弁４４を、リフトシリンダ２に作動油を供給する供給状態に切り換えて、苗植付装置４を上限位置に向けて上昇させる上昇制御を行う。
【００４８】
第１作業レバー５８の「中立」位置への操作を検知した場合には、リフトシリンダ２が作動停止するように、昇降弁４４を、リフトシリンダ２に対する作動油の給排を停止する給排停止状態に切り換えて、苗植付装置４を昇降停止させる昇降停止制御を行う。
【００４９】
上記の下降制御において、フロートセンサ５４の検出角度θｂが、搭乗運転部１３に備えた回転式のポテンショメータからなる設定ダイヤル６２で予め設定した制御目標角度θｏと一致したことを検知した場合（フロートセンサ５４の検出角度θｂが制御目標角度θｏの不感帯幅内に入った場合）、及び、上記の上昇制御において、リンク機構３による上限スイッチ４３のオン操作で苗植付装置４の上限位置への到達を検知した場合にも、昇降停止制御を行う。
【００５０】
第１作業レバー５８の「植付」位置への操作を検知した場合には、植付クラッチ４１が入り操作されるようにクラッチモータ４２を作動させて、苗植付装置４の植え付け作動を開始させる植え付け開始制御を行い、第１作業レバー５８の「植付」位置への操作を検知しなくなった場合には、植付クラッチ４１が切り操作されるようにクラッチモータ４２を作動させて、苗植付装置４の植え付け作動を停止させる植え付け停止制御を行う。
【００５１】
第１作業レバー５８の「自動」位置への操作を検知した場合には、ステアリングホイール１１の右下方に配備した中立復帰型の第２作業レバー６０の操作情報を出力する複数のリミットスイッチからなる第２レバーセンサ６１の出力に基づいて、第２作業レバー６０の操作に応じた制御作動を実行する。
【００５２】
つまり、第１作業レバー５８の操作で、苗植付装置４を、その昇降可能範囲内での任意の高さ位置に位置させることができ、又、その任意の高さ位置において、苗植付装置４の作動状態と作動停止状態とを切り換え現出することができ、更に、制御装置４０の制御モードを、第１レバーセンサ５９の検出に基づいて制御作動する制御モードと、第２レバーセンサ６１の出力に基づいて制御作動する制御モードとに切り換えることができる。
【００５３】
次に、第２レバーセンサ６１の出力に基づく制御装置４０の制御作動について説明する。
【００５４】
制御装置４０は、第２レバーセンサ６１の出力に基づいて、第２作業レバー６０の下方への操作を検知した場合には、後述する自動昇降制御を実行しているか否かを判別する。
【００５５】
自動昇降制御を実行していない場合には、設定ダイヤル６２で予め設定した制御目標角度θｏとフロートセンサ５４の検出角度θｂとに基づいて、その検出角度θｂが制御目標角度θｏと一致するように、昇降弁４４の作動を制御し、リフトシリンダ２を伸縮作動させて、苗植付装置４の対地高さが、整地フロート１７が制御目標角度θｏで接地する所定の接地高さ位置に維持されるように、苗植付装置４を昇降させる自動昇降制御を行う。
【００５６】
自動昇降制御を実行している場合には、植付クラッチ４１が入り操作されるようにクラッチモータ４２を作動させて、苗植付装置４の植え付け作動を開始させる植え付け開始制御を行う。
【００５７】
第２作業レバー６０の上方への操作を検知した場合には、植え付け開始制御を行った後の植え付け作動中か否かを判別する。
【００５８】
植え付け開始制御を行った後の植え付け作動中である場合には、植付クラッチ４１が切り操作されるようにクラッチモータ４２を作動させて、苗植付装置４の植え付け作動を停止させる植え付け停止制御を行うとともに、リンク機構３による上限スイッチ４３のオン操作を検知するまで、リフトシリンダ２が収縮作動するように昇降弁４４を供給状態に切り換えて、苗植付装置４を上限位置まで自動上昇させ、オン操作の検知に伴って、リフトシリンダ２が作動停止するように昇降弁４４を給排停止状態に切り換えて、苗植付装置４を上限位置にて自動停止させる自動上昇制御を行う。
【００５９】
植え付け開始制御を行っていない植え付け停止中である場合には、上記の自動上昇制御のみを行う。
【００６０】
つまり、第２作業レバー６０の操作で、苗植付装置４を所定の接地高さ位置に維持する整地状態と、苗植付装置４を所定の接地高さ位置に維持しながら植え付け作動させる植え付け状態と、苗植付装置４を上限位置に退避させる非作業状態とを、簡単に切り換え現出することができ、又、植え付け状態では、走行に伴って変化する圃場耕盤や圃場泥面の起伏などにかかわらず、苗の植え付けを予め設定した植え付け深さで安定して行える。
【００６１】
制御目標角度θｏは、設定ダイヤル６２の操作で設定変更できるようになっており、その角度θｏを設定ダイヤル６２の操作で前上がり方向に大きくするほど、その角度θｏにフロートセンサ５４の検出角度θｂが一致した状態での苗植付装置４の接地高さ位置が低くなって、各整地フロート１７の接地圧が高くなることから、走行に伴って変化する圃場泥面の起伏などに対する各整地フロート１７の追従性が低下する。
【００６２】
逆に、設定ダイヤル６２の操作で前下がり方向に大きくするほど、その角度θｏにフロートセンサ５４の検出角度θｂが一致した状態での苗植付装置４の接地高さ位置が高くなって、各整地フロート１７の接地圧が低くなることから、走行に伴って変化する圃場泥面の起伏などに対する各整地フロート１７の追従性が向上する。
【００６３】
そのため、苗植付装置４を所定の接地高さ位置で維持する自動昇降制御においては、設定ダイヤル６２の操作で制御目標角度θｏを前上がり方向に大きくするほど、走行に伴って変化する圃場泥面の起伏などに対する各整地フロート１７の追従性が低下することで、フロートセンサ５４で検出される整地フロート１７の上下揺動角度θａが、制御目標角度θｏに対して変化し難くなることから、苗植付装置４の昇降操作が行われ難くなる。
【００６４】
逆に、設定ダイヤル６２の操作で制御目標角度θｏを前下がり方向に大きくするほど、走行に伴って変化する圃場泥面の起伏などに対する各整地フロート１７の追従性が向上することで、フロートセンサ５４で検出される整地フロート１７の上下揺動角度θａが、制御目標角度θｏに対して変化し易くなることから、苗植付装置４の昇降操作が行われ易くなる。
【００６５】
つまり、設定ダイヤル６２の操作で制御目標角度θｏを前上がり方向に大きくするほど、自動昇降制御での制御感度を鈍感にすることができ、逆に、前下がり方向に大きくするほど、自動昇降制御での制御感度を敏感にすることができる。
【００６６】
その結果、圃場の泥土が硬い場合には、その硬さに応じて制御目標角度θｏを前上がり方向に変更すれば、自動昇降制御において、圃場泥面の僅かな起伏に対しても整地フロート１７が敏感に追従揺動して苗植付装置４が頻繁に昇降することに起因したハンチングの発生などを防止できる。
【００６７】
又、圃場の泥土が柔らかい場合には、その柔らかさに応じて制御目標角度θｏを前下がり方向に変更すれば、自動昇降制御において、圃場泥面の大きな起伏に対しても整地フロート１７が追従揺動しなくなって泥押しが発生し易くなることに起因した苗倒れなどを防止できることから、圃場泥土の硬さを考慮した良好な植え付けを行える。
【００６８】
前述したように、この田植機では、整地フロート１７の上下揺動角度θａを検出するために、検出アーム５５が連係ロッド５６などを介して整地フロート１７の前端部に連係されたフロートセンサ５４を、苗植付装置４の主フレーム４８に固定装備してある。
【００６９】
又、植え付け深さ調節は、操作レバー５１の操作で、フロート支点軸５０を支点にして整地フロート１７を上下方向に揺動変位させて、植付機構１６に対する整地フロート１７の高さ位置を変更することで行える。
【００７０】
そのため、苗の植え付け深さを調節するために、植付機構１６に対する整地フロート１７の高さ位置を変更すると、その変更に伴って、フロートセンサ５４に対する整地フロート１７の高さ位置も変更されることになり、その変更量に応じて、整地フロート１７の前端部に連係ロッド５６などを介して連係したフロートセンサ５４の検出アーム５５が揺動変位する。
【００７１】
つまり、植え付け深さ調節によって、整地フロート１７の上下揺動角度θａとフロートセンサ５４の検出角度θｂとの相関関係に変化が生じることになり、この変化を考慮せずに自動昇降制御を行った場合には、整地フロート１７の上下揺動角度θａとの相関関係に変化が生じたフロートセンサ５４の検出角度θｂを、設定ダイヤル６２で設定した制御目標角度θｏに一致させることから、整地フロート１７の上下揺動角度θａを制御目標角度θｏに一致させることで得られる所定の接地高さ位置に苗植付装置４を維持することができなくなり、植え付け深さ調節で設定した植え付け深さでの苗の植え付けを良好に行うことができなくなる。
【００７２】
そこで、この田植機では、植え付け深さ調節の際に回動するフロート支点軸５０の基準位置からの回動量を植え付け深さとして検出する回転式のポテンショメータからなる植付深さ検出手段６３と、この植付深さ検出手段６３の検出に基づいて、フロートセンサ５４の検出角度θｂを適切に補正して、整地フロート１７の上下揺動角度θａとフロートセンサ５４の検出角度θｂとの相関関係を整合させるように構成された制御プログラムなどからなる補正手段６４とを装備して、植え付け深さ調節によって変化する整地フロート１７の上下揺動角度θａとフロートセンサ５４の検出角度θｂとの相関関係を考慮した自動昇降制御を行えるように構成してある。
【００７３】
詳述すると、補正手段６４には、植付深さ検出手段６３によって検出される各植え付け深さに対応して、フロートセンサ５４の検出角度θｂを適切に補正するための複数の補正係数が前もって記憶されており、補正手段６４は、植付深さ検出手段６３の検出に基づいて採用する補正係数を選択し、その選択した補正係数をフロートセンサ５４の検出角度θｂに乗じることで、フロートセンサ５４の検出角度θｂを適切に補正する。
【００７４】
例えば、植え付け深さ調節用の操作レバー５１を、植え付け深さが一般的な深さとなる標準位置に設定した際に得られる整地フロート１７の上下揺動角度θａとフロートセンサ５４の検出角度θｂとの相関関係を基準とする場合には、植え付け深さ調節用の操作レバー５１を標準位置よりも深植え側の操作位置に設定するほど、植付機構１６に対する整地フロート１７の高さ位置が高い側に変更されるとともに、フロートセンサ５４に対する整地フロート１７の高さ位置も高い側に変更されて、フロートセンサ５４の検出角度θｂが実際の整地フロート１７の上下揺動角度θａに比較して相対的に大きくなることから、補正手段６４は、そのときの植付深さ検出手段６３で検出される植え付け深さに応じて、そのときのフロートセンサ５４の検出角度θｂを適正に小さくできる補正係数を選択し、その選択した補正係数をフロートセンサ５４の検出角度θｂに乗じることで、フロートセンサ５４の検出角度θｂを、実際の整地フロート１７の上下揺動角度θａに対応する適切な角度に低下補正する。
【００７５】
逆に、植え付け深さ調節用の操作レバー５１を標準位置よりも浅植え側の操作位置に設定するほど、植付機構１６に対する整地フロート１７の高さ位置が低い側に変更されるとともに、フロートセンサ５４に対する整地フロート１７の高さ位置も低い側に変更されて、フロートセンサ５４の検出角度θｂが実際の整地フロート１７の上下揺動角度θａに比較して相対的に小さくなることから、補正手段６４は、そのときの植付深さ検出手段６３で検出される植え付け深さに応じて、そのときのフロートセンサ５４の検出角度θｂを適正に大きくできる補正係数を選択し、その選択した補正係数をフロートセンサ５４の検出角度θｂに乗じることで、フロートセンサ５４の検出角度θｂを、実際の整地フロート１７の上下揺動角度θａに対応する適切な角度に上昇補正する。
【００７６】
つまり、操作レバー５１を用いて植え付け深さ調節を行うと、その植え付け深さ調節によって植付機構１６に対する整地フロート１７の高さ位置が変更されるのに伴って、フロートセンサ５４に対する整地フロート１７の高さ位置が変更されることになって、整地フロート１７の上下揺動角度θａとフロートセンサ５４の検出角度θｂとの相関関係、並びに、フロートセンサ５４の検出角度θｂと設定ダイヤル６２による制御目標角度θｏとの相関関係に変化が生じるが、このときの植え付け深さ調節に連動して、補正手段６４が、フロートセンサ５４の検出角度θｂを、植付深さ検出手段６３の検出に応じて適切に補正して、整地フロート１７の上下揺動角度θａとフロートセンサ５４の検出角度θｂとの相関関係、並びに、フロートセンサ５４の検出角度θｂと設定ダイヤル６２による制御目標角度θｏとの相関関係を整合させることから、自動昇降制御においては、植え付け深さ調節にかかわらず、苗植付装置４を、設定ダイヤル６２で設定した制御目標角度θｏで整地フロート１７が接地する接地高さ位置に精度良く維持することができ、植え付け深さ調節で設定した植え付け深さでの良好な苗の植え付けを安定して行える。
【００７７】
ちなみに、本実施形態で例示する構成とは異なる構成で、植え付け深さ調節にかかわらず、整地フロート１７の上下揺動角度θａとフロートセンサ５４の検出角度θｂとの相関関係を一定に維持する方法としては、図示は省略するが、整地フロート１７の前端部に連係リンク機構を介して連係されたフロートセンサ５４を、平行四連リンク機構を構成する上下一対の揺動リンクを介して苗植付装置４の前下部に位置するように主フレーム４８に連結装備し、かつ、植付機構１６に対する整地フロート１７の高さ変更操作を可能にする操作レバー５１を、その操作に連動して、フロートセンサ５４の高さ位置が整地フロート１７の高さ位置に応じた高さ位置に変更されるように、連係ロッドを介して上側の揺動リンクに連動連係することが考えられる。
【００７８】
しかしながら、この構成では、フロートセンサ５４の支持構造が複雑化するとともに大型化し、又、その支持構造を装備するための大きい空間を、苗植付装置４の前下部において確保する必要が生じる。
【００７９】
その点、本実施形態で例示した構成では、前述したように、フロートセンサ５４の検出角度θｂを補正手段６４で補正することから、フロートセンサ５４を相対変位可能に支持する支持構造を装備するための大きい空間を、苗植付装置４の前下部に確保する必要がない。
【００８０】
そこで、図１〜４及び図９に示すように、本実施形態で例示する田植機では、苗植付装置４の前下部における空き空間を有効利用して、整地フロート１７の前方において植え付け直前の圃場泥面を浅く攪拌して均平化する代掻きロータ６５を駆動回転可能に装備してあり、これによって、通常の代掻き作業を不要にできる。
【００８１】
代掻きロータ６５は、左右向きの角パイプからなる駆動軸６６に、樹脂成型品からなる複数の回転体６７及びスペーサ６８を一体回転可能に外嵌装備して構成され、その駆動軸６６に、苗植付装置４の動力分配機構１４からの分配動力が、動力分配機構１４から各植付伝動ケース４９にわたって伝動可能に横架した伝動軸６９や、その伝動軸６９と駆動軸６６とにわたって架設した伝動ケース７０に内装したトルクリミッタ、チェーン式の伝動機構（図示せず）、及びワンウェイクラッチ、などを介して伝達されることでダウンカット方向に回転駆動される。
【００８２】
そして、この回転駆動時には、トルクリミッタの作用で駆動系に対する過負荷が防止され、苗植付装置４を駆動停止状態で接地させた整地作業時には、ワンウェイクラッチの作用で、複数の回転体６７が走行に伴ってダウンカット方向に遊転する。
【００８３】
代掻きロータ６５は、左右に配備した伝動ケース７０と支持部材７１とで、伝動軸６９を支点にした独立昇降揺動が可能となるように支持され、又、代掻きロータ６５の上方に配備した電動式の昇降モータ７２に、操作ロッド７３及びセクタギヤ７４を介して独立昇降駆動可能に操作連係されている。
【００８４】
図２〜４及び図９に示すように、昇降モータ７２は、搭乗運転部１３に装備した回転式のポテンショメータからなるロータ高さ設定用の操作具７５と、セクタギヤ７４の揺動角度を代掻きロータ６５の高さ位置として検出する回転式のポテンショメータからなるロータセンサ７６の検出に基づく制御装置４０の制御作動で、ロータセンサ７６の検出高さが操作具７５による設定高さと一致する（設定高さの不感帯幅内に入る）ように作動制御されることで、代掻きロータ６５を操作具７５で設定した高さ位置に位置させる。
【００８５】
つまり、ロータ高さ設定用の操作具７５を操作することで、代掻きロータ６５を、所望の高さ位置に簡単に位置させることができ、又、不要時には圃場泥面から浮上させた非作用高さ位置に簡単に退避させることができる。
【００８６】
図２及び図３に示す符号７７は、代掻きロータ６５を引き上げ付勢することで、昇降モータ７２にかかる代掻きロータ６５の引き上げ荷重を軽減する左右一対の引っ張りバネである。
【００８７】
図２及び図３に示す符号７８は、代掻きロータ６５による後方への泥跳ねを防止する泥跳ね防止カバーであり、この泥跳ね防止カバー７８は、代掻きロータ６５が接地する代掻き作用時においては、泥跳ねを防止するだけでなく、その下端部が圃場泥面に接地して、代掻きロータ６５による代掻き跡を適度の押圧力で押え込んでその表面を均平化する。
【００８８】
ところで、整地フロート１７を接地させた植え付け作業時や整地作業時においては、車速が速くなるほど整地フロート１７が浮き易くなることから、車速にかかわらずフロートセンサ５４の検出角度θｂと設定ダイヤル６２による制御目標角度θｏとの相関関係を一定に保持すると、作業時の車速が速くなるほど、圃場での柔らかい泥土の僅かな隆起などに対しても整地フロート１７が敏感に上昇揺動する傾向になり、よって、整地フロート１７の揺動に基づく自動昇降制御において、苗植付装置４が不必要に昇降するハンチングや、苗植付装置４が浮き気味になることに起因した浅植えや整地不良が生じ易くなる。
【００８９】
そこで、本実施形態で例示した田植機では、補正手段６４が、車速検出手段７９の検出速度に基づいて、設定ダイヤル６２による制御目標角度θｏを適切に補正する、具体的には、圃場での水分量や整地フロート１７の形状などから、例えば、図１０に示すように、車速検出手段７９で検出される車速が、１．５ｍ／ｓを超えて速くなるほど、それに伴って整地フロート１７が浮き易くなることを認識している場合には、その点を考慮して、例えば図１１に示すような車速と制御目標角度との相関関係に基づいて、車速が１．５ｍ／ｓを超えて速くなるほど、制御目標角度θｏを前上がり方向に大きく補正するように構成してあり、これによって、作業時の車速が所定速度を超えて速くなるほど、設定ダイヤル６２の操作で制御目標角度θｏを前上がり方向に大きくする場合と同様に、自動昇降制御での制御感度を鈍感にすることができ、その結果、車速の上昇に伴って、整地フロート１７が圃場での柔らかい泥土の僅かな隆起などに対しても敏感に上昇揺動する虞を防止でき、整地フロート１７の揺動に基づく自動昇降制御において、苗植付装置４が不必要に昇降するハンチングや、苗植付装置４が浮き気味になることに起因した浅植えや整地不良の発生を回避できる。
【００９０】
尚、車速検出手段７９の検出速度に基づいて制御目標角度θｏを補正する場合には、圃場での水分量や整地フロート１７の形状などに応じて、整地フロート１７の浮き具合が変わることから、補正手段６４における補正係数は、圃場での水分量や整地フロート１７の形状などに応じて種々の変更が可能である。
【００９１】
ところで、この田植機では、前述したように、主変速レバー２３の変速操作位置とエンジン回転数との間において、例えば図８に示すような相関関係が得られるように、主変速レバー２３を調速機構３１の調速レバー３２に操作連係していることから、エンジン回転数を検出することで、主変速レバー２３の変速操作位置を割り出すことができ、車速を推測することができる。
【００９２】
つまり、車速検出手段７９として、エンジン回転数を検出する回転センサを装備するだけで良いことから、回転センサと主変速レバー２３の変速操作位置を検出するレバーセンサとを装備して車速検出手段７９を構成する場合に比較して、構成の簡素化を図ることができる。
【００９３】
〔別実施形態〕
【００９４】
〔１〕植え付け作業機としては、水稲苗を植え付ける田植機以外の例えば藺草苗を植え付ける藺草移植機などであってもよい。
【００９５】
〔２〕接地体１７としては、走行に伴って変化する圃場泥面の起伏などに応じて左右向きの支軸周りに上下揺動する整地板などであってもよい。
【００９６】
〔３〕植付機構１６としては、クランクアーム式のものであってもよい。
【００９７】
〔４〕苗植付装置４を昇降駆動するアクチュエータ２としては、油圧式の昇降モータや電動式の昇降モータなどを採用できる。
【００９８】
〔５〕植付深さ検出手段６３として、苗植付装置４における接地体１７の高さ位置を植え付け深さとして検出する超音波センサなどを採用してもよい。
【００９９】
〔６〕補正手段６４としては、植付深さ検出手段６３によって検出される植え付け深さに応じてフロートセンサ５４の検出角度θｂを適切に補正するための植え付け深さとフロートセンサ５４の検出角度θｂに対する補正係数との相関関係を示す相関関係式を前もって記憶し、その相関関係式と植付深さ検出手段６３の検出とから得られる補正係数をフロートセンサ５４の検出角度θｂに乗じることで、フロートセンサ５４の検出角度θｂを、実際の整地フロート１７の上下揺動角度θａに対応する角度に適切に補正するものであってもよい。
【０１００】
〔７〕補正手段６４としては、植付深さ検出手段６３によって検出される各植え付け深さに対応して、フロートセンサ５４の検出角度θｂを適切に補正するための複数のフロートセンサ５４の検出角度θｂと補正値との相関関係を示す相関関係式又はマップデータなどを前もって記憶し、植付深さ検出手段６３の検出に基づいて採用する相関関係式又はマップデータなどを選択し、その選択した相関関係式又はマップデータなどとフロートセンサ５４の検出角度θｂとから得られる補正値をフロートセンサ５４の検出角度θｂに加えることで、フロートセンサ５４の検出角度θｂを、実際の整地フロート１７の上下揺動角度θａに対応する角度に適切に補正するものであってもよい。
【０１０１】
〔８〕補正手段６４としては、植付深さ検出手段６３の検出に基づいて、設定ダイヤル６２による制御目標角度θｏを適切に補正して、フロートセンサ５４の検出角度θｂと設定ダイヤル６２による制御目標角度θｏとの相関関係を整合させることで、植え付け深さ調節に起因した整地フロート１７の上下揺動角度θａとフロートセンサ５４の検出角度θｂとの相関関係の変化を考慮した自動昇降制御を行えるようにするものであってもよい。
【０１０２】
詳述すると、補正手段６４は、植付深さ検出手段６３によって検出される各植え付け深さに対応して、設定ダイヤル６２による制御目標角度θｏを適切に補正するための複数の補正係数が前もって記憶され、植付深さ検出手段６３の検出に基づいて採用する補正係数を選択し、その選択した補正係数を設定ダイヤル６２で設定した制御目標角度θｏに乗じることで、制御目標角度θｏを適切に補正する。
【０１０３】
例えば、植え付け深さ調節用の操作レバー５１を、植え付け深さが一般的な深さとなる標準位置に設定した際に得られる整地フロート１７の上下揺動角度θａとフロートセンサ５４の検出角度θｂとの相関関係を基準とする場合には、植え付け深さ調節用の操作レバー５１を標準の植え付け深さが得られる標準位置よりも深植え側の操作位置に設定するほど、植付機構１６に対する整地フロート１７の高さ位置が高い側に変更されるとともに、フロートセンサ５４に対する整地フロート１７の高さ位置も高い側に変更されて、フロートセンサ５４の検出角度θｂが実際の整地フロート１７の上下揺動角度θａに比較して相対的に大きくなることから、補正手段６４は、そのときの植付深さ検出手段６３で検出される植え付け深さに基づいて、そのときのフロートセンサ５４の検出角度θｂに対応して、設定ダイヤル６２で設定した制御目標角度θｏを適正に大きくする補正係数を選択し、その選択した補正係数を設定ダイヤル６２で設定した制御目標角度θｏに乗じることで、制御目標角度θｏを、植え付け深さ調節後のフロートセンサ５４の検出角度θｂに対応する適切な角度に上昇補正する。
【０１０４】
逆に、植え付け深さ調節用の操作レバー５１を標準位置よりも浅植え側の操作位置に設定するほど、植付機構１６に対する整地フロート１７の高さ位置が低い側に変更されるとともに、フロートセンサ５４に対する整地フロート１７の高さ位置も低い側に変更されて、フロートセンサ５４の検出角度θｂが実際の整地フロート１７の上下揺動角度θａに比較して相対的に小さくなることから、補正手段６４は、そのときの植付深さ検出手段６３で検出される植え付け深さに基づいて、そのときのフロートセンサ５４の検出角度θｂに対応して、設定ダイヤル６２で設定した制御目標角度θｏを適正に小さくする補正係数を選択し、その選択した補正係数を設定ダイヤル６２で設定した制御目標角度θｏに乗じることで、制御目標角度θｏを、植え付け深さ調節後のフロートセンサ５４の検出角度θｂに対応する適切な角度に下降補正する。
【０１０５】
つまり、操作レバー５１を用いて植え付け深さ調節を行うと、その植え付け深さ調節によって植付機構１６に対する整地フロート１７の高さ位置が変更されるのに伴って、フロートセンサ５４に対する整地フロート１７の高さ位置が変更されることになって、整地フロート１７の上下揺動角度θａとフロートセンサ５４の検出角度θｂとの相関関係、並びに、フロートセンサ５４の検出角度θｂと設定ダイヤル６２による制御目標角度θｏとの相関関係に変化が生じるが、このときの植え付け深さ調節に連動して、補正手段６４が、設定ダイヤル６２で設定した制御目標角度θｏを、植付深さ検出手段６３の検出に応じて適切に補正して、植え付け深さ調節に伴う整地フロート１７の上下揺動角度θａとフロートセンサ５４の検出角度θｂとの相関関係の変化を許容しながら、フロートセンサ５４の検出角度θｂと設定ダイヤル６２による制御目標角度θｏとの相関関係を整合させることから、自動昇降制御においては、植え付け深さ調節にかかわらず、苗植付装置４を、設定ダイヤル６２で設定した制御目標角度θｏで整地フロート１７が接地する接地高さ位置に精度良く維持することができ、植え付け深さ調節で設定した植え付け深さでの良好な苗の植え付けを安定して行える。
【０１０６】
〔９〕補正手段６４が、車速検出手段７９の検出速度に基づいて、フロートセンサ５４の検出角度θｂを適切に補正する、具体的には、整地フロート１７の形状などから、例えば、図１０に示すように、車速検出手段７９で検出される車速が、１．５ｍ／ｓを超えて速くなるほど、それに伴って整地フロート１７が浮き易くなることを認識している場合には、その点を考慮して、車速が１．５ｍ／ｓを超えて速くなるほど、フロートセンサ５４の検出角度θｂを前下がり方向に大きく補正するように構成することで、作業時の車速が所定速度を超えて速くなるほど、設定ダイヤル６２の操作で制御目標角度θｏを前上がり方向に大きくする場合と同様に、自動昇降制御での制御感度が鈍感になって、車速の上昇に伴って、整地フロート１７が圃場での柔らかい泥土の僅かな隆起などに対しても敏感に上昇揺動する虞を防止できるようにして、整地フロート１７の揺動に基づく自動昇降制御において、苗植付装置４が不必要に昇降するハンチングや、苗植付装置４が浮き気味になることに起因した浅植えや整地不良の発生を回避できるようにしてもよい。
【０１０７】
〔１０〕植え付け深さ調節用の操作レバー５１を、苗載台１５の背面側上部に配備するとともに、その操作レバー５１とフロート支点軸５０とを、多数の連係部材を備えて構成された連係機構、又は、連係ワイヤなどを介して操作連係するように構成してもよい。
【０１０８】
〔１１〕例えば、支持アーム５２を介して接地体１７を昇降揺動可能に支持するフロート支点軸５０を回転駆動する電動式の昇降モータと、目標植え付け深さ（接地体１７の目標高さ位置）を設定変更する回転式のポテンショメータからなる設定ダイヤル（操作手段の一例）と、フロート支点軸５０の基準位置からの回動量を植え付け深さ（接地体１７の高さ位置）として検出する回転式のポテンショメータからなる植付深さ検出手段６３と、設定ダイヤルによる目標植え付け深さに植付深さ検出手段６３の検出植え付け深さが一致するように昇降モータの作動を制御する制御手段とを備えて、植え付け深さ調節を電動で行うように構成してもよい。
【０１０９】
この構成では、設定ダイヤルの操作による植え付け深さ調節に連動して、補正手段６４が、設定ダイヤルの出力に基づいて、フロートセンサ５４の検出角度θｂを適切に補正するように構成することが可能になる。
【０１１０】
〔１２〕例えば、支持アーム５２を介して接地体１７を昇降揺動可能に支持するフロート支点軸５０を回転駆動する電動式の昇降モータと、目標植え付け深さ（接地体１７の目標高さ位置）を設定変更する回転式のポテンショメータからなる設定ダイヤル（操作手段の一例）と、目標植え付け深さを変更する際の設定ダイヤルの変更操作量に基づいて、その変更操作量に応じた操作量で接地体１７が変位するように昇降モータの作動を制御する制御手段とを備えて、植え付け深さ調節を電動で行うように構成してもよい。
【０１１１】
この構成では、設定ダイヤルの操作による植え付け深さ調節に連動して、補正手段６４が、設定ダイヤルの出力に基づいて、フロートセンサ５４の検出角度θｂを適切に補正するように構成することが可能になり、又、植付深さ検出手段６３の装備を不要にできる。
【０１１２】
〔１３〕車速検出手段７９を、エンジン回転数を検出する回転センサと、主変速レバー２３の変速操作位置を検出するレバーセンサとから構成してもよく、又、走行用の最終伝動軸の回転数を検出する回転センサで構成してもよい。
【図面の簡単な説明】
【０１１３】
【図１】乗用田植機の全体側面図
【図２】苗植付装置の側面図
【図３】苗植付装置の正面図
【図４】苗植付装置の一部縦断側面図
【図５】植え付け深さ調節構造を示す概略平面図
【図６】変速操作構造を示す要部の縦断側面図
【図７】調速機構の操作構造を示す連係図
【図８】主変速レバーの変速操作位置とエンジン回転数との関係を示す図
【図９】制御構成を示すブロック図
【図１０】車速と整地フロートの浮き上がりとの関係を示す図
【図１１】車速と制御目標角度との関係を示す図
【符号の説明】
【０１１４】
１    走行車体
２    アクチュエータ
４    苗植付装置
１６  植付機構
１７  接地体
４０  制御手段
５１  操作手段
５４  揺動角度検出手段
６３  植付深さ検出手段
６４  補正手段
７９  車速検出手段
θａ  接地体の上下揺動角度
θｂ  検出角度
θｏ  制御目標角度
【図１】
0004594891.tif 000002
【図２】
0004594891.tif 000003
【図３】
0004594891.tif 000004
【図４】
0004594891.tif 000005
【図５】
0004594891.tif 000006
【図６】
0004594891.tif 000007
【図７】
0004594891.tif 000008
【図８】
0004594891.tif 000009
【図９】
0004594891.tif 000010
【図１０】
0004594891.tif 000011
【図１１】
0004594891.tif 000012